(57)【要約】【課題】簡単な処理で通信状態の最適化を図ることができる無線通信装置、通信レート設定方法、及び通信レート設定プログラムを提供する。【解決手段】パーソナルコンピュータ１０では、接続数検出部１６１によって検出された通信デバイス３０の接続数に応じて、ＡＶ通信デバイス２０に出力するＡＶデータの通信レートが、高音質・標準音質・低音質の３段階のいずれかに自動的に設定されるようになっている。したがって、ユーザ側に音質設定の操作負担を与えることなく、ＡＶ通信デバイス２０での音飛びを抑止することができる。通信レートの設定にあたっては、通信デバイス３０の接続数を検出しているので、従来のように通信状態を直接監視し、ＡＶデータの送信がなされる度に通信レートの設定を変更する場合に比べて、処理手順の簡単化が図られる。【選択図】図１
2008148252.tif 000002
【特許請求の範囲】
【請求項１】
ＡＶデータの出力先となるＡＶ通信デバイスとの接続、及び他の通信デバイスとの接続を、ローカル無線通信によって確立させる接続制御手段と、
前記他の通信デバイスの接続数を検出する接続数検出手段と、
前記接続数検出手段によって検出された前記他の通信デバイスの接続数に応じて、前記ＡＶ通信デバイスに出力する前記ＡＶデータの通信レートを設定する通信レート設定手段とを備えたことを特徴とする無線通信装置。
【請求項２】
前記通信レート設定手段は、前記他の通信デバイスの接続数の増加に応じて前記ＡＶデータの通信レートを低レベル化し、前記他の通信デバイスの接続数の減少に応じて前記ＡＶデータの通信レートを高レベル化することを特徴とする請求項１記載の無線通信装置。
【請求項３】
前記接続数検出手段は、前記ＡＶ通信デバイスとの間で前記ローカル無線通信による接続が確立している場合において、前記他の通信デバイスとの間の前記ローカル無線通信による接続が確立又は切断されたときに、前記他の通信デバイスとの接続数を検出することを特徴とする請求項１又は２記載の無線通信装置。
【請求項４】
前記接続数検出手段は、前記ＡＶ通信デバイスとの間で前記ローカル無線通信による接続が開始される際に、前記他の通信デバイスとの接続数を検出し、
前記接続制御手段は、前記接続数に応じて前記通信レート設定手段が設定した通信レートで前記ＡＶ通信デバイスとの接続を確立させることを特徴とする請求項１〜３のいずれか一項記載の無線通信装置。
【請求項５】
前記ＡＶ通信デバイスとの間で前記ローカル無線通信による接続が確立している場合に、前記他の通信デバイスとの間のデータ入出力量を検出する入出力量検出手段を更に備え、
前記通信レート設定手段は、前記入出力量検出手段によって検出された前記データ入出力量に応じて、前記ＡＶ通信デバイスに出力する前記ＡＶデータの通信レートを設定することを特徴とする請求項１〜４のいずれか一項記載の無線通信装置。
【請求項６】
前記ＡＶデータの通信レートが所定の設定以下になった場合に、その旨を示す報知情報を前記ＡＶ通信デバイスに送信する報知情報送信手段を更に備えたことを特徴とする請求項１〜５のいずれか一項記載の無線通信装置。
【請求項７】
ＡＶデータの出力先となるＡＶ通信デバイスとの接続、及び他の通信デバイスとの接続を、ローカル無線通信によって確立させる接続制御手段を備えた無線通信装置におけるＡＶデータの通信レート設定方法であって、
接続数検出手段が、前記他の通信デバイスの接続数を検出する接続数検出ステップと、
通信レート設定手段が、前記接続数検出手段によって検出された前記他の通信デバイスの接続数に応じて、前記ＡＶ通信デバイスに出力する前記ＡＶデータの通信レートを設定する通信レート設定ステップとを備えたことを特徴とする通信レート設定方法。
【請求項８】
ＡＶデータの出力先となるＡＶ通信デバイスとの接続、及び他の通信デバイスとの接続を、ローカル無線通信によって確立させる接続制御手段を備えた無線通信装置に用いるＡＶデータの通信レート設定プログラムであって、
前記無線通信装置を、
前記他の通信デバイスの接続数を検出する接続数検出手段と、
前記接続数検出手段によって検出された前記他の通信デバイスの接続数に応じて、前記ＡＶ通信デバイスに出力する前記ＡＶデータの通信レートを設定する通信レート設定手段として機能させることを特徴とする通信レート設定プログラム。
【発明の詳細な説明】
【技術分野】
【０００１】
本発明は、無線通信装置、通信レート設定方法、及び通信レート設定プログラムに関する。
に関する。
【背景技術】
【０００２】
近年、Ｂｌｕｅｔｏｏｔｈに代表されるローカル無線通信により、パーソナルコンピュータ等のメインデバイスと、ヘッドフォンやＴＶモニタなどのＡＶ（オーディオビデオ）デバイスとを接続してなるワイヤレスＡＶシステムがある。このようなシステムとして、例えば特許文献１に記載のワイヤレスＡＶシステムがある。この従来のワイヤレスＡＶシステムでは、メインデバイスとＡＶデバイスとの通信状態によって、ＡＶデータの通信レートを変更する制御を行っている。通信レートの制御にあたっては、ＡＶデバイス側に送信するコンテンツの種別ごとに通信レートの最大値・最小値を設定しておくことで、通信状態が劣化した場合の画像や音の飛びの抑制を図っている。
【特許文献１】特開２００４−３２０７７０号公報
【発明の開示】
【発明が解決しようとする課題】
【０００３】
上述した通信レートの制御は、画像や音の飛びを抑止し、ＡＶデバイスを利用するユーザの快適性を担保できる点で有用である。しかしながら、特許文献１に記載の従来のワイヤレスＡＶシステムにおける通信レートの制御では、メインデバイスとＡＶデバイスとの通信状態を常に監視し、コンテンツの送信がなされる度に通信レートの設定を変更する処理を行う必要がある。したがって、通信状態の最適化を図るための処理負担が増大化し易いという問題がある。
【０００４】
本発明は、上記課題の解決のためになされたものであり、簡単な処理で通信状態の最適化を図ることができる無線通信装置、通信レート設定方法、及び通信レート設定プログラムを提供することを目的とする。
【課題を解決するための手段】
【０００５】
上記課題の解決のため、本発明に係る無線通信装置は、ＡＶデータの出力先となるＡＶ通信デバイスとの接続、及び他の通信デバイスとの接続を、ローカル無線通信によって確立させる接続制御手段と、他の通信デバイスの接続数を検出する接続数検出手段と、接続数検出手段によって検出された他の通信デバイスの接続数に応じて、ＡＶ通信デバイスに出力するＡＶデータの通信レートを設定する通信レート設定手段とを備えたことを特徴としている。
【０００６】
また、本発明に係る通信レート設定方法は、ＡＶデータの出力先となるＡＶ通信デバイスとの接続、及び他の通信デバイスとの接続を、ローカル無線通信によって確立させる接続制御手段を備えた無線通信装置におけるＡＶデータの通信レート設定方法であって、接続数検出手段が、他の通信デバイスの接続数を検出する接続数検出ステップと、通信レート設定手段が、接続数検出手段によって検出された他の通信デバイスの接続数に応じて、ＡＶ通信デバイスに出力するＡＶデータの通信レートを設定する通信レート設定ステップとを備えたことを特徴としている。
【０００７】
また、本発明に係る通信レート設定プログラムは、ＡＶデータの出力先となるＡＶ通信デバイスとの接続、及び他の通信デバイスとの接続を、ローカル無線通信によって確立させる接続制御手段を備えた無線通信装置に用いるＡＶデータの通信レート設定プログラムであって、無線通信装置を、他の通信デバイスの接続数を検出する接続数検出手段と、接続数検出手段によって検出された他の通信デバイスの接続数に応じて、ＡＶ通信デバイスに出力するＡＶデータの通信レートを設定する通信レート設定手段として機能させることを特徴としている。
【発明の効果】
【０００８】
本発明に係る無線通信装置、通信レート設定方法、及び通信レート設定プログラムによれば、簡単な処理で通信状態の最適化を図ることができる。
【発明を実施するための最良の形態】
【０００９】
以下、図面を参照しながら、本発明に係る無線通信装置、通信レート設定方法、及び通信レート設定プログラムの好適な実施形態について詳細に説明する。
【００１０】
図１は、本発明に係る無線通信装置の一実施形態であるパーソナルコンピュータの構成を示す図である。図１に示すパーソナルコンピュータ（無線通信装置）１０は、ＡＶ通信デバイス２０、及び複数の通信デバイス（他の通信デバイス）３０を接続可能となっている。ＡＶ通信デバイス２０は、例えば音楽用のヘッドフォンであり、パーソナルコンピュータ１０からのＡＶデータ（音声／映像データ）の出力先となるデバイスである。また、通信デバイス３０は、例えばマウスや携帯電話機であり、パーソナルコンピュータ１０との間でＡＶデータ以外の各種データを送受信可能なデバイスである。
【００１１】
パーソナルコンピュータ１０とＡＶ通信デバイス２０、及びパーソナルコンピュータ１０と通信デバイス３０とは、例えばＢｌｕｅｔｏｏｔｈといった無線通信によって情報通信可能に接続されている。Ｂｌｕｅｔｏｏｔｈは、ローカル無線通信の規格の一つであり、２．４５ＧＨｚ帯の無線電波を用いることにより、約１０ｍ程度の無線通信を実現する。これにより、パーソナルコンピュータ１０は、Ｗｅｂ閲覧機能やワードプロセッサ機能といった通常の機能を有するほか、音楽や映像をワイヤレスでユーザに視聴させるＡＶシステムとして機能する。
【００１２】
図２に、パーソナルコンピュータ１０のハードウェア構成を示す。同図に示すように、パーソナルコンピュータ１０は、当該パーソナルコンピュータ１０の主要ユニットであるエンジン部１０１と、Ｂｌｕｅｔｏｏｔｈによる無線通信を制御する無線通信モジュール（接続制御手段）１０２とを備えている。エンジン部１０１は、ＣＰＵ、メモリ、及び周辺制御回路を含んで構成されるＭＰＵ１１１と、警告表示等を行うＬＥＤ１１２と、ＵＳＢインターフェイス１１３と、出力装置としてのモニタ１１４と、入力装置としてのキーボード１１５と、ＰＣカード実装用のＰＣＭＣＩＡ（Personal  Computer  Memory  Card  International  Association)インターフェイス１１６と、シリアルインターフェイス１１７とを備えて構成されている。
【００１３】
一方、無線通信モジュール１０２は、メモリ１２１と、シリアルインターフェイス１２２と、ベースバンド部１２３と、ＲＦ（Radio  Frequency）部１２４と、水晶発振部１２５と、アンテナ部１２６とによって構成されている。シリアルインターフェイス１２２は、エンジン部１０１側のシリアルインターフェイス１１７との協働により、無線通信モジュール１０２とエンジン部１０１とを接続している。
【００１４】
ベースバンド部１２３は、ＡＶ通信デバイス２０若しくは通信デバイス３０に送信するデータを、ＲＦ部１２４で扱うことが可能なデジタル信号に変換するプロトコル処理を行う。ＲＦ部１２４は、ベースバンド部１２３で変換処理されたデジタル信号を水晶発振部１２５から発振される周波数信号とミキシングし、２．４５ＧＨｚ帯の無線電波に変調する。アンテナ部１２６は、ＡＶ通信デバイス２０及び通信デバイス３０に向けて無線電波を送受信する。
【００１５】
図３は、パーソナルコンピュータ１０のソフトウェア構成を示す図である。同図に示すように、パーソナルコンピュータ１０において、無線通信モジュール１０２のベースバンド部１２３には、ＬＭＰ（Link  Management  Protocol）１３１と、ＨＣＩ（Host  Control  Interface）１３２とが実装されている。ＬＭＰ１３１は、ＡＶ通信デバイス２０側又は通信デバイス３０側の無線通信モジュールとの間の無線リンクを制御する。また、ＨＣＩ１３２は、エンジン部１０１とのシリアルインターフェイス処理を行う。
【００１６】
また、エンジン部１０１には、オペレーティングシステム１４１と、ドライバソフトウェア１４２と、無線プロトコルスタック１４３と、システムソフトウェア１４４と、ＨＣＩ１４５とが実装されている。オペレーティングシステム１４１は、キーボード入力や画面出力といった入出力機能やメモリの管理など、多くのアプリケーションソフトから共通して利用される基本的な機能を制御する。ドライバソフトウェア１４２は、各種の周辺機器を制御する。無線プロトコルスタック１４３は、２．４５ＧＨｚ帯の無線通信を制御する。システムソフトウェア１４５は、後述するＡＶデータの通信レート設定機能を実現する。ＨＣＩは、無線通信モジュール１０２側のＨＣＩ１３２との間でシリアルインターフェイス処理を行う。
【００１７】
このようなパーソナルコンピュータ１０のメモリ上には、図１に示すように、ＢＵＳドライバ１５１と、ＵＳＢドライバ１５２と、システムソフトウェア１４４とが常駐している。ＢＵＳドライバ１５１は、ＵＳＢドライバ１５２を介してＢｌｕｅｔｏｏｔｈのホストコントローラ１５３の制御を行う。システムソフトウェア１４４は、ＡＶデータの通信レート設定機能を行うための機能的な構成要素として、接続数検出部（接続数検出手段）１６１と、入出力量検出部（入出力量検出手段）１６２と、通信レート設定部（通信レート設定手段）１６３と、報知情報送信部（報知情報送信手段）１６４とを有している。
【００１８】
接続数検出部１６１は、通信デバイス３０の接続数を検出する部分である。より具体的には、接続数検出部１６１は、ＡＶ通信デバイス２０とパーソナルコンピュータ１０との間でＢｌｕｅｔｏｏｔｈによる接続が新たに開始されたときに、パーソナルコンピュータ１０と現に接続している通信デバイス３０の接続数を検出する。
【００１９】
また、接続数検出部１６１は、ＡＶ通信デバイス２０とパーソナルコンピュータ１０との間でＢｌｕｅｔｏｏｔｈによる接続が確立している場合において、通信デバイス３０との間のＢｌｕｅｔｏｏｔｈによる接続が確立又は切断されたときに、パーソナルコンピュータ１０と現に接続している通信デバイス３０の接続数を検出する。接続数検出部１６１は、接続数の検出結果を示す検出結果情報を生成し、通信レート設定部１６３に出力する。
【００２０】
入出力量検出部１６２は、通信デバイス３０に対するデータ入出力量を検出する部分である。入出力量検出部１６２は、ＡＶ通信デバイス２０とパーソナルコンピュータ１０との間でＢｌｕｅｔｏｏｔｈによる接続が確立している場合に、パーソナルコンピュータ１０と各通信デバイス３０との間でやり取りされるデータ入出力量を検出する。入出力量検出部１６２は、検出したデータ入出力量を示す検出結果情報を生成し、通信レート設定部１６３に出力する。
【００２１】
通信レート設定部１６３は、ＡＶ通信デバイス２０に出力するＡＶデータの通信レートを設定する部分である。通信レート設定部１６３は、接続数検出部１６１から受け取った検出結果情報に基づいて、ＡＶデータの通信レートを３段階に設定する。より具体的には、検出結果情報が示す通信デバイス３０の接続数が０である場合には、通信レートのレベルを「高音質」（例えば４００ｋｂｐｓ）に設定し、通信デバイス３０の接続数が１である場合には、通信レートのレベルを「標準音質」（例えば２００ｋｂｐｓ）に設定する。また、通信デバイスの接続数が２以上である場合には、通信レートのレベルを「低音質」（例えば１００ｋｂｐｓ）に設定する。
【００２２】
また、通信レート設定部１６３は、入出力量検出部１６２から受け取った検出結果情報に基づいて、同様の通信レート設定を行う。通信レート設定部１６３では、許容するデータ入出力量の範囲が通信レートのレベルごとに定められている。例えば「高音質」の場合は、データ入出力量の範囲は０ｋｂｐｓ〜１００ｋｂｐｓであり、「標準音質」の場合は、データ入出力量の範囲は５０ｋｂｐｓ〜３００ｋｂｐｓとなっている。また、「低音質」の場合は、データ入出力量の範囲は１５０ｋｂｐｓ〜４００ｋｂｐｓとなっている。
【００２３】
そして、通信レート設定部１６３は、データ入出力量が現在の通信レートにおけるデータ入出力量の許容範囲の上限を超えている場合には、ＡＶデータの通信レートのレベルを１段階下に設定変更し、データ入出力量が現在の通信レートにおけるデータ入出力量の許容範囲の下限に満たなかった場合には、ＡＶデータの通信レートのレベルを１段階上に設定変更する。また、通信レート設定部１６３は、データ入出力量が「低音質」におけるデータ入出力量の許容範囲の上限を超えている場合には、報知情報の生成を指示する指示情報を報知情報送信部１６４に出力する。
【００２４】
報知情報送信部１６４は、ＡＶデータの通信レートが所定の設定以下になった場合に、その旨を示す報知情報をＡＶ通信デバイス２０に送信する部分である。報知情報送信部１６４は、通信レート設定部１６３から指示情報を受け取ると報知情報を生成し、無線通信モジュール１０２を介してＡＶ通信デバイス２０に送信する。なお、ここでいう報知情報としては、例えば警告音や警告メッセージ情報が挙げられる。また、ＡＶ通信デバイス２０が振動機能を有している場合には、振動を指示する情報であってもよい。また、ＬＥＤ１１２の点灯やモニタ１１４への警告メッセージの表示などにより、パーソナルコンピュータ１０側で報知情報を表示させるようにしてもよい。
【００２５】
続いて、上述した構成を有するパーソナルコンピュータ１０の動作について、図４〜図６に示すフローチャートを参照しながら説明する。
【００２６】
図４に示すように、ＢｌｕｅｔｏｏｔｈによるＡＶ通信デバイス２０とパーソナルコンピュータ１０との接続が新たに開始されると、パーソナルコンピュータ１０と現に接続している通信デバイス３０の接続数の検出が行われる（ステップＳ０１）。ここで、まず、通信デバイス３０の接続数が０であるか否かが判断される（ステップＳ０２）。接続数が０である場合には、ＡＶデータの通信レートのレベルを「高音質」に設定して接続処理を行う（ステップＳ０３）。
【００２７】
また、ステップＳ０２において、通信デバイス３０の接続数が０でない場合には、次に、接続数が１であるか否かが判断される（ステップＳ０４）。通信デバイス３０の接続数が１である場合には、ＡＶデータの通信レートのレベルを「標準音質」に設定して接続処理を行う（ステップＳ０５）。また、接続数が２以上である場合には、ＡＶデータの通信レートのレベルを「低音質」に設定して接続処理を行う（ステップＳ０６）。ステップＳ０３，Ｓ０５，Ｓ０６の後、ＡＶ通信デバイス２０との接続が完了すると、処理が終了する（ステップＳ０７）。
【００２８】
図５に示すように、ＡＶ通信デバイス２０とパーソナルコンピュータ１０との間でＢｌｕｅｔｏｏｔｈによる接続が確立している場合において、通信デバイス３０の接続の確立又は切断がなされると（ステップＳ１１）、再びパーソナルコンピュータ１０と現に接続している通信デバイス３０の接続数の検出が行われる（ステップＳ１２）。まず、通信デバイス３０の接続数が０であるか否かが判断される（ステップＳ１３）。接続数が０である場合には、ＡＶデータの通信レートのレベルが「高音質」に設定変更される（ステップＳ１４）。
【００２９】
ステップＳ１３において、通信デバイス３０の接続数が０でない場合には、次に、接続数が１であるか否かが判断される（ステップＳ１５）。通信デバイス３０の接続数が１である場合には、ＡＶデータの通信レートのレベルが「標準音質」に設定変更される（ステップＳ１６）。また、接続数が２以上である場合には、ＡＶデータの通信レートのレベルが「低音質」に設定変更される（ステップＳ１７）。
【００３０】
また、図６に示すように、ＡＶ通信デバイス２０とパーソナルコンピュータ１０との間でＢｌｕｅｔｏｏｔｈによる接続が確立している場合においては、所定の周期でパーソナルコンピュータ１０と各通信デバイス３０との間でやり取りされるデータ入出力量の検出がなされる（ステップＳ２１）。そして、検出されたデータ入出力量が現在の通信レートにおける許容範囲の上限を超えているか否かが判断される（ステップＳ２２）。
【００３１】
ステップＳ２２において、検出されたデータ入出力量が現在の通信レートにおける許容範囲の上限を超えていない場合には、ＡＶデータの通信レートの設定を変更せずに処理が終了する。一方、検出されたデータ入出力量が現在の通信レートにおける許容範囲の上限を超えている場合には、次に、現在設定されている通信レートのレベルが「高音質」であるか否かが判断される（ステップＳ２３）。現在設定されている通信レートのレベルが「高音質」である場合には、通信レートのレベルが１段階下の「標準音質」に設定変更される（ステップＳ２４）。
【００３２】
現在設定されている通信レートのレベルが「高音質」でない場合には、現在設定されている通信レートのレベルが「標準音質」であるか否かが判断される（ステップＳ２５）。現在設定されている通信レートのレベルが「標準音質」である場合には、通信レートのレベルが１段階下の「低音質」に設定変更される（ステップＳ２６）。さらに、現在設定されている通信レートのレベルが「標準音質」でない場合、すなわち、現在設定されている通信レートのレベルが既に「低音質」である場合には、ＡＶ通信デバイス２０に対して報知情報が送信される（ステップＳ２７）。
【００３３】
次に、パーソナルコンピュータに上述した通信レート設定機能を持たせるための通信レート設定プログラムについて説明する。図７は、通信レート設定プログラムの構成を示す図である。
【００３４】
図７に示すように、通信レート設定プログラム４０は、処理を統括するメインモジュール４０１と、接続数検出モジュール４０２と、入出力検出モジュール４０３と、通信レート設定モジュール４０４と、報知情報送信モジュール４０５とを備えている。
【００３５】
上記各モジュールが実行されることにより実現される機能は、上述したパーソナルコンピュータ１０の各機能的構成要素と同じである。すなわち、通信レート設定プログラム４０の各モジュールの機能は、接続数検出部１６１、入出力量検出部１６２、通信レート設定部１６３、及び報知情報送信部１６４の機能と同様である。
【００３６】
以上説明したように、パーソナルコンピュータ１０では、接続数検出部１６１によって検出された通信デバイス３０の接続数に応じて、ＡＶ通信デバイス２０に出力するＡＶデータの通信レートのレベルが、高音質・標準音質・低音質の３段階のいずれかに自動的に設定されるようになっている。したがって、ユーザ側に音質設定の操作負担を与えることなく、ＡＶ通信デバイス２０での音飛びを抑止することができる。通信レートの設定にあたっては、通信デバイス３０の接続数を検出しているので、従来のように通信状態を直接監視し、ＡＶデータの送信がなされる度に通信レートの設定を変更する場合に比べて、処理手順の簡単化が図られる。
【００３７】
また、パーソナルコンピュータ１０では、通信デバイスの接続数に応じた通信レートの設定に加え、入出力量検出部１６２によって検出されたデータ入出力量に応じて、ＡＶ通信デバイス２０に出力するＡＶデータの通信レートの設定変更を行っている。これにより、ＡＶ通信デバイス２０での音飛びを抑止機能の更なる強化が図られる。また、この設定変更では、データ入出力量が現在の通信レートにおけるデータ入出力量の許容範囲から外れた場合に、ＡＶデータの通信レートのレベルを段階的に設定変更する。したがって、通信レートの急激な変化を防止し、ユーザに違和感が生じることを抑えることが可能となる。
【００３８】
さらに、パーソナルコンピュータ１０では、通信デバイス３０との間のデータ入出力量が、通信レート「低音質」である場合の許容範囲の上限を超えている場合には、その旨を示す報知情報をＡＶ通信デバイス２０に送信する。これにより、通信レートの低下を迅速にユーザ側に知らせることができるので、ユーザフレンドリなＡＶシステムの構築が図られる。
【００３９】
本発明は、上記実施形態に限られるものではない。例えば、上述した実施形態では、ＡＶ通信デバイス２０として音楽用のヘッドフォンを例示したが、ＴＶモニタなどの映像を出力するデバイスであってもよい。また、ＡＶ通信デバイス２０に出力するＡＶデータのエラー率を検出する手段を更に設け、エラー率が所定の閾値を超えた場合に、ＡＶ通信デバイス２０に報知情報を送信するようにしてもよい。
【図面の簡単な説明】
【００４０】
【図１】本発明に係る無線通信装置の一実施形態であるパーソナルコンピュータの構成を示す図である。
【図２】図１に示したパーソナルコンピュータのハードウェア構成を示す図である。
【図３】図１に示したパーソナルコンピュータのソフトウェア構成を示す図である。
【図４】ＡＶ通信デバイスの接続を開始する際のパーソナルコンピュータの動作を示すフローチャートである。
【図５】ＡＶ通信デバイス接続中のパーソナルコンピュータの動作を示すフローチャートである。
【図６】ＡＶ通信デバイス接続中のパーソナルコンピュータの別の動作を示すフローチャートである。
【図７】本発明に係る通信レート設定プログラムの一実施形態を示す図である。
【符号の説明】
【００４１】
１０…パーソナルコンピュータ（無線通信装置）、２０…ＡＶ通信デバイス、３０…通信デバイス（他の通信デバイス）、４０…通信レート設定プログラム、１０２…無線通信モジュール（接続制御手段）、１６１…接続数検出部（接続数検出手段）、１６２…入出力量検出部（入出力量検出手段）、１６３…通信レート設定部（通信レート設定手段）、１６４…報知情報送信部（報知情報送信手段）。
【図１】
2008148252.tif 000003
【図２】
2008148252.tif 000004
【図３】
2008148252.tif 000005
【図４】
2008148252.tif 000006
【図５】
2008148252.tif 000007
【図６】
2008148252.tif 000008
【図７】
2008148252.tif 000009